(57)【要約】【課題】  扉の位置ずれや扉またはその支持装置の変形がなく良好な開閉を維持することができ、かつ扉の取り付け施工が簡便なことである。【解決手段】  扉の下部を支持する下部扉支持装置３５は、扉側に固定される扉側部材３７と、床側に固定される床側部材３９とを備え、扉側部材３７は、扉の下端木口１８ａに固定される取付片３７ａと、この取付片３７ａの一端から垂直に延長するとともに扉の表面に当接される立設片３７ｂと、この立設片３７ｂの両端から外方に延長され立設片３７ｂとともにコの字形を形成する一対の側片３７ｃと、これら一対の側片３７ｃに掛け渡される軸状部材３７ｅに対して回転可能に支持されるとともに立設片３７ｂのコの字形形成面に当接するブロック８８とを有し、床側部材３９は下部の扉側部材３７を支える垂直状ピン４２を有し、ブロック８８には床側部材の垂直状ピン４２が回転可能に嵌入するピン孔９０ａが設けられる。【選択図】              図４
2006291615.tif 000002
【特許請求の範囲】
【請求項１】
上枠および左右縦枠を有する扉枠と床で形成される開口部に設けられる扉に対して該扉の幅方向一側の上部および下部をそれぞれピン支承により支持する扉の支持装置であって、前記扉の下部を支持する下部扉支持装置は、前記扉側に固定される下部の扉側部材と、前記床側に固定される床側部材とを備え、前記下部の扉側部材は、前記扉の下端木口に固定される取付片と、該取付片の一端から垂直に延長するとともに前記扉の表面に当接される立設片と、該立設片の両端から外方に延長され前記立設片とともにコの字形を形成する一対の側片と、該一対の側片に掛け渡される軸状部材に対して回転可能に支持されるとともに前記立設片のコの字形形成面に当接するブロックとを有し、前記床側部材は前記下部の扉側部材を支える垂直状ピンを有し、前記ブロックには前記床側部材の垂直状ピンが嵌入するピン孔が設けられてなる扉の支持装置。
【発明の詳細な説明】
【技術分野】
【０００１】
本発明は、扉をピン支承により回転可能に支持する扉の支持装置に関する。
【背景技術】
【０００２】
従来、ピン支承により扉を支持する扉の支持装置としては、たとえば扉枠の幅方向一端側の上下に取り付けられた扉枠側部材に対して、扉の幅方向一端側の上下にそれぞれ取り付けられたピンを枢支させることにより扉を支持するものが知られている（特許文献１）。
【０００３】
また、別の扉の支持装置として、たとえば扉枠側に固定された枠側部材と、扉側に固定された扉側部材とを備え、枠側部材には偏心歯車が設けられ、この偏心歯車に形成した偏心孔に、扉側部材に設けたピボット軸を摺動可能に挿着するものが知られている（特許文献２）。
【特許文献１】特開２００１−１２１３７号公報
【特許文献２】特開２００３−１４８０３１号公報
【発明の開示】
【発明が解決しようとする課題】
【０００４】
しかしながら、前者の扉の支持装置は、扉枠側部材、扉側部材がそれぞれ扉枠、扉に固定され、扉側部材のピンが扉の厚み方向略中央に位置するものであるから、扉の取り付けの自由度が小さく、限られた扉にしか利用できない。一方、後者の扉の支持装置は、扉を支えるピン位置が扉から離れているので、十分な強度上の配慮がなされないと扉の位置ずれや変形の原因となるおそれがあった。
【０００５】
本発明の課題は、扉の使用中に扉の位置ずれや扉の支持装置の変形がなく、良好な開閉を維持することができ、かつ扉の取り付け施工が簡便なことである。
【課題を解決するための手段】
【０００６】
上記課題を解決するため、本発明は、上枠および左右縦枠を有する扉枠と床で形成される開口部に設けられる扉に対して該扉の幅方向一側の上部および下部をそれぞれピン支承により支持する扉の支持装置であって、前記扉の下部を支持する下部扉支持装置は、前記扉側に固定される下部の扉側部材と、前記床側に固定される床側部材とを備える。
【０００７】
さらに、前記下部の扉側部材は、前記扉の下端木口に固定される取付片と、該取付片の一端から垂直に延長するとともに前記扉の表面に当接される立設片と、該立設片の両端から外方に延長され前記立設片とともにコの字形を形成する一対の側片と、該一対の側片に掛け渡される軸状部材に対して回転可能に支持されるとともに前記立設片のコの字形形成面に当接するブロックとを有し、前記床側部材は前記下部の扉側部材を支える垂直状ピンを有し、前記ブロックには前記床側部材の垂直状ピンが嵌入するピン孔が設けられてなることを特徴とする。
【０００８】
このようにすることにより、扉の重量は主に下部扉支持装置で支えられる。下部扉支持装置は下部の扉側部材および床側部材から形成されるが、扉の重量は下部の扉側部材から床側部材に伝達される。同時に、床側部材の垂直状ピンから扉側に反力が掛かる。垂直状ピンから扉側に掛かる反力は、垂直の反力と偶力のモーメントとに分解することができる。垂直の反力は床側部材の垂直状ピンからブロック、軸状部材、一対の側片および立設片を介して取付片に伝達され扉の重量と釣り合う。
【０００９】
偶力のモーメントは、垂直状ピンの中心線と扉重心を通る垂直線との水平距離に垂直の反力を掛けた大きさで、扉下部の扉側部材を回転させる作用を及ぼす。しかし、この扉側部材は、その取付片が扉の下端木口に固着され、かつ立設片が扉の表面に当接しているので、偶力のモーメントは扉の表面と下端木口で受けることになり、この偶力のモーメントを受けるに十分な強度が確保され、扉は安定に支持される。
【００１０】
次に本発明を構成する各要件についてさらに詳しく説明する。本発明を適用できる扉は、扉枠を有し、その扉枠の開口部に対して水平面内で回転することによって開閉するものである。この場合、扉は片側開きはもちろん両側開き（観音開き）のものでも良い。扉枠は、上枠と一対の縦枠とを有する三方枠（または略門形）である。ピン支承は、ピボットヒンジに相当し、ピン周りの回転運動のみが自由で、軸方向や軸に直角の方向の移動を規制する支承方式である。
【００１１】
下部扉支持装置は、扉下部に取り付けられる扉側部材および床に取り付けられる床側部材を有し、扉の下部は下部の扉側部材と床側部材に設けられる垂直状ピンよりピン支承される。上部扉支持装置は、扉枠の上枠側に取り付けられる上枠側部材および扉上部に取り付けられる扉上部の扉側部材を有し、扉は上枠側部材と上部の扉側部材に設けられるピンによってピン支承される。
【００１２】
下部の扉側部材は、主として取付片、立設片、一対の側片、軸状部材およびブロックによって形成され、ブロックの下端面には床側部材の垂直状ピンが回転可能に嵌入するピン孔が設けられる。この場合、ブロックは扉面と平行な水平方向に移動調整できる水平方向調整機構により水平方向に移動調整できると良い。さらに、ブロックは上下方向に移動調整できる上下方向調整機構により垂直状ピンに対して上下方向に移動調整できると良い。
【００１３】
上部の扉側部材についても、主として取付片、立設片、一対の側片、軸状部材およびブロックによって形成される。さらに、ブロックに上下方向の貫通孔が設けられ、この貫通孔にピンが挿入され、上枠側部材に形成されたピン孔に対して回転可能に嵌入すると良い。この場合、ブロックは扉面と平行な水平方向に移動調整できる水平方向調整機構により水平方向に移動調整できると良い。さらに、ピンは、上向きに付勢され、必要によりピンを下向きに引っ張ることにより上枠側部材のピン孔から外れるようにすると良い。
【００１４】
扉上部の水平方向調整機構および扉下部の水平方向調整機構は同じ機構でも良い。上部水平方向調整機構または下部水平方向調整機構は、特に限定されないが、たとえば雄ねじと雌ねじを組み合わせたねじ送り機構、ラックとピニオンにより回転運動を直線運動にかえる機構あるいは偏心カム機構により回転運動を直線運動にかえる機構などを用いることができる。扉下部の扉側部材の上下方向調整機構としては、特に限定されないが、上記ねじ送り機構、ラックとピニオンによる機構あるいは偏心カム機構などでも良い。
【００１５】
上部、下部の扉側部材における取付片の形状は、特に限定されないが、扉の下端木口に対応させて矩形板状が好ましい。さらに、立設片は、その取付片側の面が扉の表面に面で当接できるように平坦とされると良い。
【００１６】
また、軸状部材は、棒状であるが、その両端は一対の側片に対して固着または回転可能に支持される。軸状部材の両端が側片に固着される場合は、ブロックと軸状部材とは相対的に回転可能にされる。軸状部材の両端が側片に対して回転可能に支持される場合は、軸状部材をねじ棒とし、ブロックに雌ねじを形成して螺合させ、ねじ棒を回転させることによりブロックを水平方向に移動できるようにすると良い。
【００１７】
ブロックの形状は特に限定されないが、立設片と二つの側片で形成するコの字形の空間に収まる大きさとする。ブロックの略中央には垂直方向に設けられるピン孔が形成され、床側部材に設けられる垂直棒状の垂直状ピンが挿入されピン支承される。
【００１８】
扉および扉枠の材質は、合板、木質繊維板（ＭＤＦなど）、木削片板、単板積層板などの木質系、各種合成樹脂から形成される合成樹脂系、あるいは木質系と合成樹脂系との複合材料などが使用される。扉および扉枠を形成する材料の表面には、必要により化粧材が貼着される。
【００１９】
床は、木質材、無機材など材料には限定されないが、特に木質系床材の場合には床側部材の固定を木ねじ、釘などで固定することができる。
【発明の効果】
【００２０】
本発明によれば、扉の使用中に扉の位置ずれや扉の支持装置の変形がなく、良好な開閉を維持することができる。さらに、扉の取り付け施工が簡便である
【発明を実施するための最良の形態】
【００２１】
以下、本発明に係る扉の支持装置の実施形態を図面に基づいて詳細に説明する。なお、図１〜９において、同一または同等部分には同一符号を付けて示す。
【実施例１】
【００２２】
図１は、本発明に係る扉の支持装置を適用した扉装置の一実施形態を示す正面図である。本扉装置は、扉枠１と床１２で形成される開口部１４に扉１７を設けたものである。扉枠１は、上枠３および左右縦枠５、６を有する三方枠（または門形枠）で、バリアフリーのために下枠が無い。扉１７は、片開きで扉枠の開口部１４に対して水平面内で回転するように取り付けられる。
【００２３】
扉枠１および扉１７は、たとえば主として木質繊維板（ＭＤＦなど）で形成され、表面に化粧材が設けられる。化粧材は、扉枠１および扉１７を形成する木質繊維板の少なくとも露出面に設けられ、可撓性を有する材料が選定される。化粧材の材料としては、たとえば天然木材を切削して得られる天然突板や表面に各種模様を印刷した合成樹脂シートなどが使用される。
【００２４】
扉１７は、その幅方向１９の右側（一側）２１の上部および下部において、それぞれ上部扉支持装置２５および下部扉支持装置３５によりピボットヒンジ（ピン支承）により支持される。ピボットヒンジは、その軸が垂直方向に設けられたピン周りの水平面内での回転が可能で、扉を扉枠に取り付けた状態では水平方向および上下方向の移動は規制される。また、扉の左側（他側）で中間高さ位置寄りには取手２４が設けられる。
【００２５】
床１２は、木質系材料で形成され、合板、木質繊維板（ＭＤＦなど）、木削片板、単板積層板などである。床１２の表面には化粧材が設けられるが、先に挙げた化粧材と同じ材質のものを使用しても良い。
【００２６】
図２は、図１におけるＡ−Ａ線断面図である。扉１７は、扉１７が閉じられた状態で左右縦枠５、６および上枠３（図１）の幅方向中央に設けられた戸当り８に当接する。左側の戸当り８および上枠の戸当り８には緩衝片９が設けられる。緩衝片９は、扉１７が閉じられた際に、その衝撃と衝撃音を小さくする。
【００２７】
図３は、図１におけるＢ−Ｂ線断面図である。上部扉支持装置２５は、扉枠の上枠３側に取り付けられる上枠側部材２７および扉上部に取り付けられる扉側部材２９を有する。下部扉支持装置３５は、扉下部に取り付けられる扉側部材３７および床に取り付けられる床側部材３９を有する。
【００２８】
上部扉支持装置２５の上枠側部材２７と扉側部材２９とは、扉側部材２９に設けられる上部のピン３１が上枠側部材２７に設けられる孔（図８（ａ）符号２８）に挿入されることによりピン支承される。さらに、ピン３１は、常にコイルばね３４により上方に付勢される。ピン３１の基端側につまみ３３が設けられ、このつまみ３３を下方に引くことによりピン３１の先端が上枠側部材２７の孔から外れるように形成される。
【００２９】
下部扉支持装置３５の扉側部材３７と床側部材３９とは、床側部材３９に設けられる垂直状ピン（下部のピン）４２が扉側部材３７に設けられる孔（図４（ｂ）符号９０ａ）に挿入されることによりピン支承される。扉側部材３７に設けられる上記孔が垂直状ピン４２に差し込まれることにより扉側部材３７がピン先端に載置され、垂直状ピン４２は略扉１７の重量を支える。なお、符号５４は床見切りを表す。
【００３０】
図４は、図１に示した扉の支持装置における下部の扉側部材および床側部材を示し、（ａ）は平面図、（ｂ）は正面図である。図５は、図４（ａ）におけるＣ−Ｃ線断面図である。下部扉支持装置３５は、扉側に固定される下部の扉側部材３７と、床１２側に固定される床側部材３９とを備える。下部の扉側部材３７は、床側部材３９に設けられる垂直状ピン４２によりピン支承されるとともに、下部の扉側部材３７は垂直状ピン４２に対して水平方向に微調整可能な下部水平方向調整機構８４と、垂直状ピン４２に対して上下方向に微調整可能な上下方向調整機構９６とを有する。
【００３１】
図５に示すように、下部の扉側部材３７は、板状の取付片３７ａと、この取付片３７ａの一端から垂直に延長するとともに扉１７の表面１８ｃに当接される立設片３７ｂと、この立設片３７ｂの左右方向両端から外方に延長され立設片３７ｂとともにコの字形を形成する一対の側片３７ｃと、この一対の側片３７ｃに掛け渡される軸状部材３７ｅに対して回転可能に支持されるとともに立設片３７ｂのコの字形形成面に当接するブロック８８とを有する。
【００３２】
また、立設片３７ｂの上端から延長する覆片３７ｄを有する。立設片３７ｂ、一対の側片３７ｃおよび覆片３７ｄは略立方体状の空間の隣合う４面を覆う。下部の扉側部材３７は、取付片３７ａにより図示していないビスを使用して３箇所のビス孔３８を介して扉の下端木口１８ａに固定される。また、立設片３７ｂ、一対の側片３７ｃおよび覆片３７ｄの外側はカバー９３が被せられる。
【００３３】
図６は、図４（ｂ）におけるＤ−Ｄ線断面図である。下部水平方向調整機構８４の構造を説明する図である。下部の扉側部材の立設片３７ｂ、一対の側片３７ｃおよび図示されない覆片３７ｄの４片で囲まれる空間内にブロック８８が装着される。ブロック８８は柱状で、その断面形状が矩形状部分８８ａと、これに延長する略円形状部分８８ｂとを組み合わせた異形方円形である。ブロックの矩形状部分８８ａの水平方向には雌ねじ８９が形成される。
【００３４】
一方、扉側部材の一対の側片３７ｃ側には皿状孔が設けられる。この皿状孔に雄ねじ８６が形成された水平方向調整ねじ８５が挿入され、ブロックの雌ねじ８９に螺合される。水平方向調整ねじ８５の先端８７ｂ側は回転可能なように拡径してかしめられる。このように形成することにより、水平方向調整ねじの頭８７ａ側を回転させることにより水平方向調整ねじ８５は、一対の側片３７ｃに対しては相対的位置を変えずに回転するので、ブロック８８は水平方向調整ねじ８５の長手方向（図６の左右方向）に移動する。
【００３５】
さらに、図４、５に示すように、下部の扉側部材３７は、上下方向調整機構９６を有しており、上下方向調整機構９６は、ブロック８８の略円形状部分８８ｂの中心で上下方向に形成されたピン孔９０ａおよびこれに延長する雌ねじ９０ｂと、雌ねじ９０ｂに螺合する上下方向調整ねじ９１および上下方向調整ねじ９１の下面側に接して設けられる座板９２とを含む。
【００３６】
ピン孔９０ａの径は、垂直状ピン４２が回転可能に挿入できる（または遊嵌できる）大きさである。座板９２は、上下方向調整ねじ９１を回転し易くする。座板９２には一対の突起（キー）９２ａが形成され、この突起９２ａは孔９０ａの縦軸方向に形成される細溝（キー溝）８８ｃに入り回り止めとされる。上下方向調整ねじ９１を回転することにより上下方向調整ねじ９１が上下方向に移動し、下部の扉側部材３７、したがって扉１７の高さを変えることができる。
【００３７】
図７は、図４（ｂ）に示した床側部材を示し、（ａ）は図４（ｂ）におけるＥ−Ｅ線断面図、（ｂ）は正面図である。床側部材３９は、円柱形の垂直状ピン４２と、異形三角形状の座４５とから形成される。垂直状ピン４２は、先の図４（ｂ）に示すように、ブロック８８に形成されたピン孔９０ａに挿入される。座４５には、上記垂直状ピン４２の基端側がかしめにより固着されるとともに、１対の長孔４１が設けられる。床側部材３９は、この長孔４１を利用して図示していないビスにより床に固定される。長孔４１により、床側部材３９を扉枠に対し位置調整することができる。
【００３８】
図８は、図１に示した扉の支持装置における上部の扉側部材および枠側部材を示し、（ａ）は正面図、（ｂ）は（ａ）のＦ−Ｆ線断面図である。扉の上部を支持する上部扉支持装置２５は、扉枠の上枠３側に固定される上枠側部材（扉枠側部材）２７と、扉側に固定される上部の扉側部材２９とを備える。上部の扉側部材２９は、下部の扉側部材３７（図４）に対して対向する位置に設けられ、その形状は下部の扉側部材３７に対して略反対勝手である。
【００３９】
上部の扉側部材２９は、上下方向に移動可能な上部のピン３１と、この上部のピン３１に対して水平方向に微調整可能な上部水平方向調整機構（上部水平方向調整手段）７１とを有する。上部のピン３１は、コイルばね３４（付勢手段）により上向きに付勢される。上部の扉側部材２９は、上部のピン３１が上枠側部材２７の孔２８に回転可能に嵌入することによりピン支承される。
【００４０】
上部の扉側部材２９は、板状の取付片２９ａと、この取付片２９ａの一辺片側寄りに立設される立設片２９ｂと、この立設片２９ｂの両側から延在する一対の側片２９ｃおよび先端側から延在する覆片２９ｄとを有する。立設片２９ｂ、一対の側片２９ｃおよび覆片２９ｄは略立方体状の空間の隣合う４面を覆う。
【００４１】
さらに、上部の扉側部材２９は、取付片２９ａにより扉の上端木口１８ｂに固定される。取付片２９ａは、図示していないビスにより３箇所のビス孔３０を介して扉の上端木口１８ｂに固定される。また、立設片２９ｂ、一対の側片２９ｃおよび覆片２９ｄの外側はカバー８０が被せられる。
【００４２】
さらに、上部の扉側部材の立設片２９ｂ、一対の側片２９ｃおよび覆片２９ｄの４片で囲まれる空間内にブロック７７が装着される。ブロック７７は円柱状で、その断面形状は矩形状部分７７ａと、略円形状部分７７ｂとを組み合わせた異形方円形である。ブロックの矩形状部分の水平方向には雌ねじ７８が形成される。
【００４３】
一方、扉側部材の一対の側片２９ｃ側には皿状孔が設けられる。この皿状孔に雄ねじ７５が形成された水平方向調整ねじ７４が挿入され、ブロックの雌ねじ７８に螺合される。水平方向調整ねじ７４の先端７６ｂ側は回転可能なように拡径してかしめられる。このように形成することにより、水平方向調整ねじの頭７６ａ側を回転することにより水平方向調整ねじ７４は、一対の側片２９ｃに対しては相対的位置を変えずに回転するので、ブロック７７は水平方向調整ねじ７４の長手方向（図８の左右方向）に移動する。
【００４４】
先に記載したように、上部の扉側部材２９は、コイルばね３４により上向きに付勢されるとともに上下方向に移動可能な上部のピン３１が上枠側部材２７の孔２８に回転可能に嵌入することによりピン支承される。さらに、ピン３１は、その基端側につまみ３３が設けられ、このつまみ３３を下方に引くことによりピン３１の先端が上枠側部材の孔２８から外れるようになっている。
【００４５】
図９は、図８に示す上枠側部材を示し、（ａ）は平面図、（ｂ）は正面図である。上枠側部材２７は、板状の取付片２７ａと、その一辺側に延長させた軸受片２７ｂとを有する。取付片２７ａには上枠に取り付けるための４箇所の孔２７ｃが設けられ、図示していないビスによりこの孔２７ｃを介して固定される。
【００４６】
軸受片２７ｂには孔２８が設けられ、この孔２８に先のピン３１の先端が抜き差し可能に嵌入される。さらに、軸受片２７ｂにはリブ２７ｄが形成され、このリブ２７ｄの先端寄りには覆い板２７ｅが設けら、ピン３１の先端側が十分に嵌入できるように形成される。
【００４７】
次に、本扉の支持装置の作用について説明する。図３に示すように、扉の重量は主に下部扉支持装置３５で支えられる。下部扉支持装置３５は下部の扉側部材３７および床側部材３９から形成されるが、扉の重量は、下部の扉側部材３７から床側部材３９に伝達される。同時に、床側部材の垂直状ピン４２から扉側に掛かる反力は、扉下部の扉側部材３７に負荷される。垂直状ピン４２から扉側に掛かる反力を分解すると、垂直の反力と偶力のモーメントに分かれる。
【００４８】
図４（ａ）、（ｂ）において、垂直の反力は床側部材の垂直状ピン４２からブロック８８、軸状部材３７ｅ、一対の側片３７ｃおよび立設片３７ｂを介して取付片３７ａに伝達され、扉の重量と釣り合う。
【００４９】
偶力のモーメントは、垂直状ピン４２の中心線と扉の重心を通る垂直線との水平距離に垂直の反力を掛けた大きさで扉下部の扉側部材３７を回転させる作用を及ぼす。しかし、この扉側部材３７は、その取付片３７ａが扉の下端木口１８ａに固着され、かつ立設片３７ｂが扉の表面１８ｃに当接しているので、偶力のモーメントは扉の表面１８ｃと下端木口１８ａで受けることになり、この偶力のモーメントを受けるに十分な強度が確保され、扉は安定に支持される。
【００５０】
以上この発明を図示の実施例について詳しく説明したが、それを以ってこの発明をそれらの実施例のみに限定するものではなく、この発明の精神を逸脱せずして種々改変を加えて多種多様の変形をなし得ることは云うまでもない。
【産業上の利用可能性】
【００５１】
本発明の扉の支持装置は、集合住宅や個別住宅の扉あるいは事務所、理髪店、美容院などの扉に対して利用可能である。
【図面の簡単な説明】
【００５２】
【図１】本発明に係る扉の支持装置を適用した扉装置の一実施形態を示す正面図である。
【図２】図１におけるＡ−Ａ線断面図である。
【図３】図１におけるＢ−Ｂ線断面図である。
【図４】図１に示した扉の支持装置における下部の扉側部材および床側部材を示し、（ａ）は平面図、（ｂ）は正面図である。
【図５】図４（ａ）におけるＣ−Ｃ線断面図である。
【図６】図４（ｂ）におけるＤ−Ｄ線断面図である。
【図７】図４（ｂ）に示した床側部材を示し、（ａ）は図４（ｂ）におけるＥ−Ｅ線断面図、（ｂ）は正面図である。
【図８】図１に示した扉の支持装置における上部の扉側部材および枠側部材を示し、（ａ）は正面図、（ｂ）は（ａ）のＦ−Ｆ線断面図である。
【図９】図８に示す上枠側部材を示し、（ａ）は平面図、（ｂ）は正面図である。
【符号の説明】
【００５３】
１  扉枠
３  上枠
５  左縦枠
６  右縦枠
１２  床
１４  開口部
１７  扉
１８ａ  下端木口
１９  幅方向
３５  下部扉支持装置
３７  下部の扉側部材
３７ａ  取付片
３７ｂ  立設片
３７ｃ  側片
３７ｅ  軸状部材
３９  床側部材
４２  垂直状ピン
８８  ブロック
９０ａ  ピン孔
【図１】
2006291615.tif 000003
【図２】
2006291615.tif 000004
【図３】
2006291615.tif 000005
【図４】
2006291615.tif 000006
【図５】
2006291615.tif 000007
【図６】
2006291615.tif 000008
【図７】
2006291615.tif 000009
【図８】
2006291615.tif 000010
【図９】
2006291615.tif 000011